(57)【要約】【課題】本発明の課題は、電気コード（線）を持って引き抜くことや、人の移動時に、うっかり足に線を引っかけることが有っても、プラグからの線の抜けや切れが回避できる線切回避プラグ装着具を提供する。【解決手段】本発明による線切回避プラグ装着具は、プラグを把持するプラグ把持部と、線を押さえつける線押さえ部を一体に備え、線を引いたときに、線押さえ部と線との接触固定により、線の引き力は、線押さえ部を介してプラグ把持部に伝わり、線の引きによって線がプラグから外れないように把持する。【選択図】図１
2018097991.tif 000002
【特許請求の範囲】
【請求項１】
プラグを把持するプラグ把持部と、電線を押さえつける電線押さえ部を一体に備え、前記電線押さえ部と前記電線との接触固定により、前記電線を引いたときに前記電線の引き力は、前記電線押さえ部を介して前記プラグ把持部に伝わり、前記電線の前記引きによって前記電線は、前記プラグから外れることの回避又は切れることの回避を可能とする電線切れ又は外れ回避プラグ装着具。
【請求項２】
前記電線押さえ部は、前記電線と接触する内側の接触部は、滑り摩擦性の材料で形成されていることを特徴とする請求項１記載の電線切れ又は外れ回避プラグ装着具。
【請求項３】
プラグを把持するプラグ把持部と、電線を押さえつける電線押さえ部を一体に備え、前記電線押さえ部と前記電線との接触固定により、前記電線を引いたときに前記電線の引き力は、前記電線押さえ部を介して前記プラグ把持部に伝わり、前記電線の前記引きによって前記電線は、前記プラグから外れることの回避又は切れることの回避を可能とする電線切れ又は外れ回避プラグ装着具において、前記電線押さえ部と前記電線との前記接触固定した部分から前記プラグに前記電線が接続されている箇所の間に、前記電線の曲げた部分を備えることを特徴とする電線切れ又は外れ回避プラグ装着具の使用方法。
【発明の詳細な説明】
【技術分野】
【０００１】
本発明は、プラグをコンセントから引き抜く際又は、電線を足等で引っかけた際に、電線の特定箇所に度重なる引き力が加わることによる意図しない電線の断線を回避してプラグが抜けるようにした電線切れ又は外れ回避プラグ装着具に関するものである。
【背景技術】
【０００２】
従来、コンセントに差し込む電気プラグは、特許文献１他多数の先行文献で提案がなされている。プラグの課題として、トラッキング事故が提示されているが、その他の課題として、コンセントからプラグを抜く際に、一般には、プラグを手に持って引き抜くのであるが、人によっては、電気コード（電線）を持って引き抜くことがあり、又、人の移動時に、うっかり足に電線を引っかけることがある。このようなことが重なって、電線の特定な箇所に引き力がかかり、通常より早く電線がプラグから切れ又は外れてしまうことがある。
従来のプラグでは、このような課題に対応ができていなかった。
【先行技術文献】
【特許文献】
【０００３】
【特許文献１】実用新案登録３０１７２４３
【発明の概要】
【発明が解決しようとする課題】
【０００４】
本発明の課題は、上記のような電気コード（電線）を持って引き抜くことや、人の移動時に、うっかり足に電線を引っかけることが有っても、引き力が、プラグ全体に係ることで、プラグからの電線の切れ又は外れが回避できる電線切れ又は外れ回避プラグ装着具を提供することである。
【課題を解決するための手段】
【０００５】
本発明にかかる電線切れ又は外れ回避プラグ装着具は、プラグを把持するプラグ把持部と、電線を押さえつける電線押さえ部を一体に備え、電線を引いたときに、電線押さえ部と電線との接触固定により、電線の引き力は、電線押さえ部を介してプラグ把持部に伝わり、電線の引きによって電線は、プラグから切れまたは外れないように把持される。
以下、請求項に沿って記述する。
【０００６】
請求項１記載の発明は、電線切れ又は外れ回避プラグ装着具であって、
プラグを把持するプラグ把持部と、電線を押さえつける電線押さえ部を一体に備え、前記電線押さえ部と前記電線との接触固定により、前記電線を引いたときに前記電線の引き力は、前記電線押さえ部を介して前記プラグ把持部に伝わり、前記電線の前記引きによって前記電線は、前記プラグから外れることの回避又は切れることの回避を可能とする。
【０００７】
請求項２記載の発明は、請求項１記載の電線切れ又は外れ回避プラグ装着具において、
前記電線押さえ部は、前記電線と接触する内側の接触部は、滑り摩擦性の材料で形成されていることを特徴とする。
【０００８】
請求項３記載の発明は、電線切れ又は外れ回避プラグ装着具の使用方法であって、
プラグを把持するプラグ把持部と、電線を押さえつける電線押さえ部を一体に備え、前記電線押さえ部と前記電線との接触固定により、前記電線を引いたときに前記電線の引き力は、前記電線押さえ部を介して前記プラグ把持部に伝わり、前記電線の前記引きによって前記電線は、前記プラグから外れることの回避又は切れることの回避を可能とする電線切れ又は外れ回避プラグ装着具において、前記電線押さえ部と前記電線との前記接触固定した部分から前記プラグに前記電線が接続されている箇所の間に、前記電線の曲げた部分を備えることを特徴とする。
【発明の効果】
【０００９】
以上の様に構成されているので、本発明によれば、電気コード（電線）を持って引き抜くことや、人の移動時に、うっかり足に電線を引っかけることが有っても、引き力が、プラグ全体に係ることで、プラグからの電線の切れ又は外れが回避できる。
【図面の簡単な説明】
【００１０】
【図１】本発明にかかる電線切れ又は外れ回避プラグ装着具の一実施態様を示す図である。
【図２】本発明にかかる電線切れ又は外れ回避プラグ装着具の電線押さえ部の種々の実施態様を示す図である。
【図３】本発明にかかる電線切れ又は外れ回避プラグ装着具と特にプラグ把持部の種々の実施態様を示す図である。
【図４】本発明にかかる電線切れ又は外れ回避プラグ装着具の他の実施態様を示す図である。
【発明を実施するための形態】
【００１１】
本発明にかかる電線切れ又は外れ回避プラグ装着具は、プラグを把持するプラグ把持部と、電線を押さえつける電線押さえ部を一体に備え、電線を引いたときに、電線押さえ部と電線との接触固定により、電線の引き力は、電線押さえ部を介してプラグ把持部に伝わり、電線の引きによって電線は、プラグから切れ又は外れないように把持される。
以下図に沿って説明する。
【００１２】
図１は、本発明にかかる電線切れ又は外れ回避プラグ装着具の一実施態様を示す図である。
１−Ａにおいて、プラグを把持するプラグ把持部１１０と、電線を押さえつける電線押さえ部１２０が一体になっている。この例では、プラグ把持部１１０は、１−Ｂに示すようなプラグの差込電極が出ている端面にかかる構造をしている。プラグに取り付けた状態は、１−Ｃに示されているので、プラグ把持部１１０が、プラグの端面にかかった状態が分かるであろう。電線押さえ部１２０は、電線の被覆カバーを、１点で抑えずに、広い面積で抑えることで、電線を引いたときに、引き力は、プラグ把持部１１０を介してプラグに伝わり、プラグが抜けるための構造を持っている。電線の引きは、電線のプラグ内の接続部等にはかからないので、電線抜けや切れ又は外れが起こることを回避できる。プラグ把持部１１０の多くの例は、図３で説明する。
電線押さえ部１２０は、好ましくは、電線と接触する内側の接触部１２１は、ゴム等の滑り摩擦性の材料で形成するとよい。尚且つ、圧縮や曲がりが可能であれば、電線の被覆カバーに緊密な接触をして固定される。
１−Ａの電線押さえ部１２０の例を１−Ｄに示す。その他の例は、図２に示される。
１−Ｄでは、電線押さえ部１２０は、プラグ把持部１１０に一体に繋がる筐体１２２、その内側に移動部１２３、移動部１２３の内側で電線１３０に触れる面には接触部１２１、ネジ１２４を備えていて、ネジ１２４を回すと、移動部１２３が押され、接触部１２１が電線を押えて固定される。電線が引かれると、引き力は、接触部１２１と移動部１２３とネジ１２４を介して電線押さえ部１２０に伝わり、その結果、プラグ把持部１１０がプラグを引くことになる。１−Ｃの図に示すように、接触部１２０とプラグの間に電線を曲げたところを作ると、電線の引き力は、プラグ内の電線の接続部には全く力がかからないため、電線抜けや断電線の起こることは回避される。このことは、本願の全ての例において、共通に言える使い方における効果的な特徴である。
【００１３】
図２は、本発明にかかる電線切れ又は外れ回避プラグ装着具の電線押さえ部の種々の実施態様を示す図である。
１−Ｄ以外の電線押さえ部１２０の例を示す。２−Ａでは、プラグ把持部１１０に一体に繋がる筐体１２２が、２枚の相対する板で形成され、板の内面には、接触部１２１が備えてある。２枚の相対する板は、ネジ１２４によりその間隔が変わるようになっているので、ネジを回すと、接触部１２１が電線を押えるようになっている。
２−Ｂでは、市販のクリップの形状であり、プラグ把持部１１０に一体に繋がる筐体１２２は、クリップ形状をしていて、２枚の相対する板を備えていて、板の内面には、接触部１２１が備えてある。２枚の相対する板は、一端で共通な支持板１２５に接続され、
クリップハンドル１２６を指で押し挟むと、２枚の相対する板が開き、離すと、２枚の相対する板と支持板１２５の弾性力により、２枚の相対する板が閉じる方向で狭まることで、電線を押えることができる。
２−Ｃは、円筒コネクター形状をしている。２−Ｄには横から見た断面を示す。
円筒基体１２７の筒内には、接触部１２１を内面に備えた複数の押さえ板１２９が長さ方向には、端に向かうほど内側に向って細くなっていて、円筒の横方向の断面では円形に配置されている。
円筒基体１２７の外面にはネジが切れ又は外れってあり、雄雌のかんけいになっているので円筒ネジ１２８をねじ込みにより嵌めこむことができる。円筒ネジ１２８の内面は、２−Ｄに示すように、接触部１２１を内面に備えた複数の板の形状に合わせて、突起部１２８ａを有している。円筒ネジ１２８を回し込むと、突起部１２８ａが、押さえ板１２９を内側に押すので、接触部１２１が電線を押えることができる。
【００１４】
図３は、本発明にかかる電線切れ又は外れ回避プラグ装着具と特にプラグ把持部の種々の実施態様を示す図である。
３−Ａにおいて、プラグ把持部１１０は、プラグの差込電極が出ている端面にかかる構造をしている。プラグに取り付けた状態は、３−ＡＵに示されているので、プラグ把持部１１０が、プラグの端面にかかった状態は図にみるとおりである。１−Ｃとの違いは、掛方がプラグの上下方向か、横方向かの違いである。
３−Ｂでは、プラグ把持部１１０のかかり部の形状が、Ｌ型のピン状をしているもので、３−ＢＵ１では、プラグの差込電極が出ている端面に掛けてある。３−ＢＵ２では、プラグの平坦面に備えた穴３１０に差し込んで使用される。
３−Ｃでは、１−Ａと似ているが、プラグ把持部１１０のかかり部の形状が、Ｌ型になっていて、かかり部をプラグの平坦面に備えた突起３２０に引っかけて使用される。
３−Ｄでは、
プラグ把持部１１０は、相向き合う把持板３４０を押し付けるための押しつけ具３３０が付いていて、押しつけ具３３０は、図のコの字部分とネジを備えていて、ネジを回すことで、ネジがコの字部分の内側に食い込み、把持板３４０を押すようになっている。
３−ＤＵは、３−Ｄのものをプラグに付けた状態を示す。ネジにより把持板３４０はプラグの面を強く押さえている。
３−Ｅは、１−Ａのプラグ把持部１１０の先端をコの字状に、及び、裏側面を閉じたものである。プラグと電線は側面の開いた方向から挿入する。
【００１５】
図４は、本発明にかかる電線切れ又は外れ回避プラグ装着具の他の実施態様を示す図である。
４−Ａは、１−Ａとは、電線押さえ部１２０が違い、プラグ把持部１１０は同じである。
電線押さえ部１２０は、上下の円盤形状のケースになっていて、ケース内に電線を格納して、上下のケースをネジ等で固定することで電線が押さえられる構成になっている。
４−Ａのものは、上部が４−Ｂに、下部が４−Ｃに示され、プラグに付けた状態が、４−Ｄに示されている。
【産業上の利用可能性】
【００１６】
以上のように本発明にかかる電線切れ又は外れ回避プラグ装着具は、電気コード（電線）を持って引き抜くことや、人の移動時に、うっかり足に電線を引っかけることが有っても、プラグからの電線の抜けや切れ又は外れが回避できるので、産業上利用して極めて好都合である。
【符号の説明】
【００１７】
１１０  プラグ把持部
１２０  電線押さえ部
１２１  接触部
１２２  筐体
１２３  移動部
１２４  ネジ
１２５  支持板
１２６  クリップハンドル
１２７  円筒基体
１２８  円筒ネジ
１２８ａ  突起部
１２９  押さえ板
１３０  電線
３１０  穴
３２０  突起
３３０  押しつけ具
３４０  把持板
【図１】
2018097991.tif 000003
【図２】
2018097991.tif 000004
【図３】
2018097991.tif 000005
【図４】
2018097991.tif 000006